(57)【要約】  車両（１０）からの電力を車両外部の負荷（４００）に供給するための給電装置（２００，３００）は、車両（１０）と給電装置（２００，３００）との間で通信するための通信部（２４０，３５０）と、通信部（２４０，３５０）に電力を供給する電源部（３８０）とを含む。給電装置（２００，３００）は、外部電源（５００）の停電時、車両（１０）からの電力を電源部（３８０）に供給することにより通信部（２４０，３５０）を起動させるとともに、通信部（２４０，３５０）により外部電源（５００）から負荷（４００）に供給される電力に関する仕様を車両（１０）のＥＣＵ（１３０）に送信する。ＥＣＵ（１３０）は、予め定められた仕様に基づいて給電部（１２０）を制御する一方で、供給電力に関する仕様を受信した後は、予め定められた仕様に代えて供給電力の仕様に基づいて給電部（１２０）を制御する。
2013061442.tif 000002
【特許請求の範囲】
【請求項１】
車両（１０）と、
前記車両（１０）からの電力を前記車両（１０）の外部の負荷（４００）に供給するための給電装置（２００，３００）とを備え、
前記負荷（４００）は、外部電源（５００）から電力の供給を受ける一方で、前記外部電源（５００）の停電時には前記車両（１０）からの電力を受けて駆動するように構成され、
前記給電装置（２００，３００）は、
前記車両（１０）と前記給電装置（２００，３００）との間で通信するための通信部（２４０，３５０）と、
前記通信部（２４０，３５０）に電力を供給する電源部（３８０）とを含み、
前記車両（１０）は、
発電部（１００，１３５）と、
前記発電部（１００，１３５）からの電力を前記給電装置（２００，３００）へ供給するための給電部（１２０）と、
前記外部電源（５００）の停電時、前記発電部（１００，１３５）からの電力を前記負荷（４００）の駆動電力に変換するように、前記給電部（１２０）を制御する制御装置（１３０）とを含み、
前記給電装置（２００，３００）は、前記外部電源（５００）の停電時、前記車両（１０）からの電力を前記電源部（３８０）に供給することにより前記通信部（２４０，３５０）を起動させるとともに、前記通信部（２４０，３５０）により前記外部電源（５００）から前記負荷（４００）に供給される電力に関する仕様を前記制御装置（１３０）に送信し、
前記制御装置（１３０）は、予め定められた仕様に基づいて前記給電部（１２０）を制御する一方で、前記供給電力に関する仕様を受信した後は、予め定められた仕様に代えて前記供給電力の仕様に基づいて給電部（１２０）を制御する、電力供給システム。
【請求項２】
前記給電装置（２００，３００）は、前記外部電源（５００）からの給電線（２１６）の電圧と、前記車両（１０）からの給電線（２２６）の電圧とを比較し、有電圧である方の給電線の電圧を前記電源部（３８０）に供給するように構成された切替部（３６０）をさらに含む、請求項１に記載の電力供給システム。
【請求項３】
前記負荷（４００）は、開閉器（４１０）を介して前記車両（１０）からの給電線（２２６）に接続され、
前記給電装置（２００，３００）は、前記通信部（２４０，３５０）により前記車両（１０）と前記給電装置（２００，３００）との間で通信が確立した後に、前記開閉器（４１０）を閉状態とする、請求項２に記載の電力供給システム。
【請求項４】
前記発電部（１００，１３５）は、再充電可能な蓄電装置（１００）を含み、
前記車両（１０）は、前記外部電源（５００）からの電力により前記蓄電装置（１００）を充電可能に構成され、
前記給電部（１２０）は、前記供給電力の仕様に基づいて、前記蓄電装置（１００）から放電される電力を前記負荷（４００）の駆動電力に変換するように前記給電部（１２０）を制御する、請求項１から３のいずれか１項に記載の電力供給システム。
【請求項５】
前記車両（１０）は、駆動力源としての内燃機関（１７０）をさらに含み、
前記発電部（１００，１３５）は、
再充電可能な蓄電装置（１００）と、
前記内燃機関（１７０）の出力を用いて発電するように構成された発電機（１６０）とを含み、
前記車両（１０）は、前記外部電源（５００）からの電力により前記蓄電装置（１００）を充電可能に構成され、
前記給電部（１２０）は、前記供給電力の仕様に基づいて、前記蓄電装置（１００）から放電される電力および前記発電機（１６０）によって発電された電力の少なくとも一方を前記負荷（４００）の駆動電力に変換するように前記給電部（１２０）を制御する、請求項１から３のいずれか１項に記載の電力供給システム。
【請求項６】
車両（１０）からの電力を前記車両（１０）の外部の負荷へ供給するための給電装置（２００，３００）であって、
前記車両（１０）と前記給電装置（２００，３００）の間で通信するための通信部（２４０，３５０）と、
前記通信部（２４０，３５０）に電力を供給する電源部（３８０）と、
外部電源（５００）からの給電線（２１６）の電圧と、前記車両（１０）からの給電線（２２６）の電圧とを比較し、有電圧である方の給電線の電圧を電源部（３８０）に供給するように構成された切替部（３６０）とを備える、給電装置。
【請求項７】
前記切替部（３６０）は、前記外部電源（５００）の停電時、前記車両（１０）からの給電線（２２６）の電圧が有電圧である場合に、前記車両（１０）からの電力を前記電源部（３８０）に供給し、
前記通信部（２４０，３５０）は、前記電源部（３８０）からの電力を受けて起動すると、前記外部電源（５００）から前記負荷（４００）に供給される電力に関する仕様を前記車両（１０）に送信する、請求項６に記載の給電装置。
【請求項８】
前記車両（１０）からの給電線（２２６）と前記負荷（４００）との間に接続され、前記通信部（２４０，３５０）により前記車両（１０）と前記給電装置（２４０，３５０）との間で通信が確立した後に、閉状態に駆動される開閉器（４１０）をさらに備える、請求項７に記載の給電装置。
【発明の詳細な説明】
【技術分野】
【０００１】
この発明は、電力供給システムおよび給電装置に関し、より特定的には、車両からの電力を車両外部の負荷へ供給するための技術に関する。
【背景技術】
【０００２】
電動機によって車両駆動力を発生可能に構成された、電気自動車、ハイブリッド自動車および燃料電池自動車等の車両では、当該電動機を駆動するための電力を蓄積する蓄電装置が搭載されている。このような車両では、発進時や加速時などに蓄電装置から電動機に電力を供給して車両駆動力を発生する一方で、降坂走行時や減速時などに電動機の回生制動により発生した電力を蓄電装置に供給する。【０００３】
このような車両において、商用系統電源などの車両外部の電源（以下、単に「外部電源」とも称する）と電気的に接続されて蓄電装置の充電（以下、単に「外部充電」とも称する）が可能な構成が提案されている。たとえば、家屋に設けられたコンセントと車両に設けられた充電口とを充電ケーブルで接続することにより、一般家庭の電源から蓄電装置の充電が可能な、いわゆるプラグイン・ハイブリッド車が知られている。これにより、ハイブリッド自動車の燃料消費効率を高めることができる。【０００４】
このような外部充電が可能な車両においては、スマートグリッドなどに見られるように、車両を電力供給源として考え、車両外部の負荷に対して車両から電力を供給する構想が検討されている。【０００５】
たとえば特開２０１０−１５４６３７号公報（特許文献１）は、電源を備えた車両と家屋とを電源ケーブルによって接続することにより、車両と家屋との間で双方向に電力供給が可能な電力供給システムを開示する。特許文献１においては、車両には、電力供給を制御するためのコントローラが設けられる。この車両のコントローラは、家屋に設けられたコントローラとの間で電源ケーブルを含む電力線にデータを重畳させて通信を行なう。車両のコントローラは、車両と家屋とが電源ケーブルによって接続されると、家屋のコントローラから送信される家屋における商用電源の電圧、車両用電源の充電状態などに基づいて、車両用電源から家屋に電力を供給するプラグアウト電力供給と、家屋用電源から車両に電力を供給するプラグイン電力供給とを切換える。
【先行技術文献】
【特許文献】
【０００６】
【特許文献１】特開２０１０−１５４６３７号公報
【特許文献２】特開２００１−００８３８０号公報
【発明の概要】
【発明が解決しようとする課題】
【０００７】
上記の特許文献１のように、車両用電源から家屋に電力の供給が可能な構成においては、商用電源の停電が発生した場合には、車両を商用電源の非常用電源として用いて家屋に電力を供給することが考えられる。しかしながら、特許文献１では、商用電源の停電時には家屋のコントローラの動作が停止（シャットダウン）してしまうため、車両のコントローラに対して家屋における商用電源の電圧を送信することができない。このような事態となると、車両のコントローラは、家屋用電源の状態を知ることができないため、車両用電源から家屋に供給すべき電力の仕様（供給電力の周波数および電圧）を決定することができない。その結果、車両は、車両用電源の電力を家屋内の家電製品を駆動するのに適した電力に変換することができず、車両用電源から家屋に電力を供給することが困難となる。【０００８】
それゆえ、この発明は、かかる課題を解決するためになされたものであり、その目的は、外部電源の停電時に車両からの電力を車両外部の負荷へ確実に供給可能な電力供給システムおよび給電装置を提供することである。
【課題を解決するための手段】
【０００９】
この発明のある局面に従えば、電力供給システムは、車両と、車両からの電力を車両の外部の負荷に供給するための給電装置とを備える。負荷は、外部電源から電力の供給を受ける一方で、外部電源の停電時には車両からの電力を受けて駆動するように構成される。給電装置は、車両と給電装置との間で通信するための通信部と、通信部に電力を供給する電源部とを含む。車両は、発電部と、発電部からの電力を給電装置へ供給するための給電部と、外部電源の停電時、発電部からの電力を負荷の駆動電力に変換するように、給電部を制御する制御装置とを含む。給電装置は、外部電源の停電時、車両からの電力を電源部に供給することにより通信部を起動させるとともに、通信部により外部電源から負荷に供給される電力に関する仕様を制御装置に送信する。制御装置は、予め定められた仕様に基づいて給電部を制御する一方で、供給電力に関する仕様を受信した後は、予め定められた仕様に代えて供給電力の仕様に基づいて給電部を制御する。【００１０】
好ましくは、給電装置は、外部電源からの給電線の電圧と、車両からの給電線の電圧とを比較し、有電圧である方の給電線の電圧を電源部に供給するように構成された切替部をさらに含む。【００１１】
好ましくは、負荷は、開閉器を介して車両からの給電線に接続される。給電装置は、通信部により車両と給電装置との間で通信が確立した後に、開閉器を閉状態とする。【００１２】
好ましくは、発電部は、再充電可能な蓄電装置を含む。車両は、外部電源からの電力により蓄電装置を充電可能に構成される。給電部は、蓄電装置から放電される電力を負荷の駆動電力に変換する。【００１３】
好ましくは、車両は、駆動力源としての内燃機関をさらに含む。発電部は、再充電可能な蓄電装置と、内燃機関の出力を用いて発電するように構成された発電機とを含む。車両は、外部電源からの電力により蓄電装置を充電可能に構成される。給電部は、蓄電装置から放電される電力および発電機によって発電された電力の少なくとも一方を負荷の駆動電力に変換する。【００１４】
この発明の別の局面に従えば、車両からの電力を車両の外部の負荷へ供給するための給電装置であって、車両と給電装置との間で通信するための通信部と、通信部に電力を供給する電源部と、外部電源からの給電線の電圧と、車両からの給電線の電圧とを比較し、有電圧である方の給電線の電圧を電源部に供給するように構成された切替部とを備える。【００１５】
好ましくは、切替部は、外部電源の停電時、車両からの給電線の電圧が有電圧である場合に、車両からの電力を電源部に供給する。通信部は、電源部からの電力を受けて起動すると、外部電源から負荷に供給される電力に関する仕様を車両に送信する。【００１６】
好ましくは、給電装置は、車両からの給電線と負荷との間に接続され、通信部により車両と給電装置との間で通信が確立した後に、閉状態に駆動される開閉器をさらに備える。
【発明の効果】
【００１７】
この発明によれば、外部電源の停電時、車両からの電力を車両外部の負荷へ確実に供給することができる。
【図面の簡単な説明】
【００１８】
【図１】本発明の実施の形態に従う電力供給システムの概略構成図である。
【図２】図１における車両の構成を説明する図である。
【図３】外部電源が停電している場合の電力供給システムを示す図である。
【図４】本発明の実施の形態による電力供給システムの通常モードでの動作を説明する図である。
【図５】本発明の実施の形態による電力供給システムにおける車両、充電スタンドおよびＨＥＭＳの動作を説明するフローチャートである。
【発明を実施するための形態】
【００１９】
以下、この発明の実施の形態について図面を参照して詳しく説明する。なお、図中同一符号は同一または相当部分を示す。
【００２０】
図１は、本発明の実施の形態に従う電力供給システムの概略構成図である。
図１を参照して、電力供給システムは、車両１０と、充電スタンド２００と、ＨＥＭＳ（Home  Energy  Management  System）３００と、負荷装置４００と、車両１０の外部の電源（以下、「外部電源」とも称する）５００と、配電盤５１０とを備える。
【００２１】
本発明の実施の形態に従う車両１０は、外部電源５００によって車載蓄電装置を充電可能な、いわゆる、プラグインタイプの電動車両である。なお、電動車両の構成は、車載蓄電装置からの電力によって走行可能であれば、その構成は特に限定されるものではない。車両１０には、たとえばハイブリッド自動車、電気自動車および燃料電池自動車などが含まれる。
【００２２】
車両１０は、蓄電装置１００と、動力出力装置１３５と、車両１０の全体動作を制御するためのＥＣＵ（Electronic  Control  Unit)１３０と、通信部１４０と、記憶部１４５（図２参照）とを含む。
【００２３】
蓄電装置１００は、再充電可能に構成された電力貯蔵要素であり、代表的には、リチウムイオン電池やニッケル水素電池などの二次電池が適用される。あるいは、電気二重層キャパシタなどの電池以外の電力貯蔵要素によって、蓄電装置１００を構成してもよい。図１には、車両１０のうちの蓄電装置１００の充放電制御に関連するシステム構成が記載されている。蓄電装置１００には、蓄電装置１００の電圧および電流を検出するための電池センサ（図示せず）が設けられる。
【００２４】
監視ユニット１０５（図２参照）は、蓄電装置１００に設けられた電池センサの出力に基づいて、蓄電装置１００の状態値を検出する。すなわち、状態値は、蓄電装置１００の電圧および／または電流を含む。上述のように、蓄電装置１００として代表的に二次電池が用いられるため、蓄電装置１００の電圧および電流について、以下では電池電圧および電池電流とも称する。また、電池電圧および電池電流を包括的に「電池データ」とも総称する。
【００２５】
動力出力装置１３５は、蓄電装置１００に蓄えられた電力を用いて車両１０の駆動力を発生する。具体的には、動力出力装置１３５は、ＥＣＵ１３０からの駆動指令に基づいて車両１０の駆動力を発生し、その発生した駆動力を車両１０の駆動輪（図示せず）へ出力する。なお、駆動指令は、車両１０の走行中において、要求された車両駆動力あるいは車両制動力に基づいて生成される制御指令である。具体的には、ＥＣＵ１３０は、車両１０の車両状態やドライバ操作（アクセルペダルの踏込み量、シフトレバーのポジション、ブレーキペダルの踏込み量など）に応じて、車両１０全体で必要な車両駆動力および車両制動力を算出する。そして、ＥＣＵ１３０は、要求された車両駆動力または車両制動力を実現するように、動力出力装置１３５の駆動指令を生成する。
【００２６】
また、動力出力装置１３５は、ＥＣＵ１３０から発電指令を受けると、車両外部の負荷装置４００へ供給するための電力を発生し、その発生した電力を給電部１２０へ出力する。なお、発電指令は、後述する非常用発電モードにおいて、負荷装置４００へ供給する電力の発生を指示するための制御指令である。
【００２７】
図２を参照して、車両１０（図１）の構成についてさらに説明する。
図２を参照して、動力出力装置１３５は、電力変換ユニット（ＰＣＵ：Power  Control  Unit）１５０と、モータジェネレータ１６０，１６５と、動力伝達ギヤ１７５と、エンジン１７０と、駆動輪１８０とを含む。
【００２８】
ＰＣＵ１５０は、蓄電装置１００に接続される。蓄電装置１００は、車両１０の駆動力を発生させるための電力をＰＣＵ１５０に供給する。また、蓄電装置１００は、モータジェネレータ１６０，１６５で発電された電力を蓄電する。具体的には、ＰＣＵ１５０は、コンバータ１５２と、インバータ１５４，１５６と、コンデンサＣ１，Ｃ２とを含む。
【００２９】
コンバータ１５２は、ＥＣＵ１３０からの制御信号ＰＷＣに基づいて、電力線ＰＬ１およびＮＬ１と電力線ＰＬ２およびＮＬ１の間で電圧変換を行なう。
【００３０】
インバータ１５４，１５６は、電力線ＰＬ２およびＮＬ１に対して並列に接続される。インバータ１５４，１５６は、ＥＣＵ１３０からの制御信号ＰＭＩ１，ＰＭＩ２に基づいて、コンバータ１５２から供給される直流電力を交流電力に変換し、モータジェネレータ１６０，１６５をそれぞれ駆動する。
【００３１】
コンデンサＣ１は、電力線ＰＬ１およびＮＬ１の間に設けられ、電力線ＰＬ１およびＮＬ１の間の電圧変動を減少させる。
【００３２】
モータジェネレータ１６０，１６５は、交流回転電機であり、たとえば、永久磁石が埋設されたロータを備える永久磁石型同期電動機である。
【００３３】
モータジェネレータ１６０，１６５の出力トルクは、減速機や動力分割機構によって構成される動力伝達ギヤ１７５を介して駆動輪１８０に伝達されて、車両１０を走行させる。モータジェネレータ１６０，１６５は、車両１０の回生制動時には、駆動輪１８０の回転力によって発電することができる。そして、その発電電力は、ＰＣＵ１５０によって蓄電装置１００の充電電力に変換される。
【００３４】
また、モータジェネレータ１６０，１６５は、動力伝達ギヤ１７５を介してエンジン１７０とも結合される。そして、ＥＣＵ１３０により、モータジェネレータ１６０，１６５およびエンジン１７０が協調的に動作されて必要な車両駆動力が発生される。さらに、モータジェネレータ１６０，１６５は、エンジン１７０の回転により発電が可能であり、この発電電力を用いて蓄電装置１００を充電することができる。なお、本実施の形態においては、モータジェネレータ１６５を専ら駆動輪１８０を駆動するための電動機として用い、モータジェネレータ１６０を専らエンジン１７０により駆動される発電機として用いるものとする。
【００３５】
なお、図２においては、モータジェネレータが２つ設けられる構成が例示されるが、モータジェネレータの数はこれに限定されず、モータジェネレータが１つの場合、あるいは２つより多くのモータジェネレータを設ける構成としてもよい。
【００３６】
また、本実施の形態においては、車両１０は、上述のように、ハイブリッド自動車を例として説明するが、車両１０の構成が、エンジン１７０により駆動される発電機からの発電電力、および／または、蓄電装置１００からの電力を用いて車両外部の負荷装置へ電力の供給が可能な車両であればその構成は限定されない。すなわち、車両１０は、図２のようなエンジンおよび電動機により車両駆動力を発生するハイブリッド自動車のほかに、車両駆動力は発生しないがエンジンにより発電を行なう発電機が設けられる車両、エンジンを搭載しない電気自動車あるいは燃料電池自動車などを含む。
【００３７】
車両１０は、外部電源５００からの電力によって蓄電装置１００を充電するための構成として、車両１０のボディーに設けられたインレット１１２と、充電部１１０と、充電リレー１１６とをさらに含む。なお、外部電源５００は、代表的には単相交流の商用系統電源により構成される。ただし、商用系統電源に代えて、もしくは商用系統電源に加えて、住宅の屋根などに設置された太陽電池パネルによる発電電力によって外部電源の電力が供給されてもよい。
【００３８】
インレット１１２には、充電ケーブル２１４の充電コネクタ２１２が接続される。そして、外部電源５００からの電力が、充電ケーブル２１４を介して車両１０に伝達される。
【００３９】
充電部１１０は、外部電源５００からの電力を受けて蓄電装置１００を充電するための装置である。充電部１１０は、インレット１１２と蓄電装置１００との間に設けられる。充電部１１０は、ＥＣＵ１３０からの制御指令ＰＷＤ１に従って、充電ケーブル２１４を介して、インレット１１２を経由して伝達された外部電源５００からの交流電力を、蓄電装置１００を充電するための直流電力に変換する。
【００４０】
充電部１１０と蓄電装置１００との間には、電力線ＰＬ３およびＮＬ３に介挿接続された充電リレー１１６が設けられる。充電リレー１１６は、ＥＣＵ１３０からのリレー制御信号ＳＥ１に応答して、オンオフされる。充電リレー１１６は、蓄電装置１００の充電経路を遮断可能な開閉装置の代表例として用いられる。すなわち、任意の形式の開閉装置を充電リレー１１６に代えて適用することができる。
【００４１】
ＥＣＵ１３０は、外部電源５００による蓄電装置１００の充電時、充電部１１０を制御するための制御指令ＰＷＤ１を生成し、その生成した制御指令ＰＷＤ１を充電部１１０へ出力する。このとき、ＥＣＵ１３０は、充電ケーブル２１４の電線部に設けられた、外部電源５００からの電力の供給および遮断を切換えるための充電回路遮断装置（図示せず）から受けるパイロット信号に基づいて、外部電源５００の種類を特定し、その特定された外部電源５００の種類に応じて充電部１１０を制御する。
【００４２】
また、車両１０は、車両外部の負荷装置４００（図１）へ電力を供給するための構成として、車両１０のボディーに設けられたインレット１２２と、給電部１２０と、給電リレー１２６とをさらに含む。
【００４３】
インレット１２２には、給電ケーブル２２４の給電コネクタ２２２が接続される。そして、蓄電装置１００からの放電電力、および／または動力出力装置１３５（モータジェネレータ１６０）からの発電電力が、給電ケーブル２２４を介して負荷装置４００に伝達される。すなわち、蓄電装置１００および／または動力出力装置１３５（モータジェネレータ１６０）は、車両外部への供給電力を発生するための「発電部」を構成する。
【００４４】
給電部１２０は、蓄電装置１００からの放電電力および／または動力出力装置１３５からの発電電力を受けて車両外部の負荷装置４００へ給電するための装置である。給電部１２０は、ＥＣＵ１３０からの制御指令ＰＷＤ２に従って、電力線ＰＬ３およびＮＬ３を経由して伝達された蓄電装置１００からの放電電力および／または動力出力装置１３５からの発電電力（いずれも直流電力）を、車両外部の負荷装置４００を駆動するための交流電力に変換する。
【００４５】
給電部１２０と蓄電装置１００との間には、電力線ＰＬ３およびＮＬ３に介挿接続された給電リレー１２６が設けられる。給電リレー１２６は、ＥＣＵ１３０からのリレー制御信号ＳＥ２に応答して、オンオフされる。給電リレー１２６は、蓄電装置１００および／または動力出力装置１３５からの放電経路を遮断可能な開閉装置の代表例として用いられる。すなわち、任意の形式の開閉装置を給電リレー１２６に代えて適用することができる。
【００４６】
ＥＣＵ１３０は、いずれも図１および図２には図示しないが、ＣＰＵ（Central  Processing  Unit）、記憶装置および入出力バッファを含み、各センサ等からの信号の入力や各機器への制御信号の出力を行なうとともに、車両１０および各機器の制御を行なう。なお、これらの制御については、ソフトウェアにより処理に限られず、専用のハードウェア（電子回路）で処理することも可能である。
【００４７】
ＥＣＵ１３０は、監視ユニット１０５からの電池データ（電池電圧および電池電流）に基づいて、蓄電装置１００の充電状態（ＳＯＣ：State  of  Charge）を演算する。ＳＯＣは、満充電容量に対する現在の残容量を百分率（０〜１００％）で示したものである。なお、蓄電装置１００のＳＯＣの算出については、公知の任意の手法を適用できるので、詳細な説明は省略する。
【００４８】
ＥＣＵ１３０は、ＰＣＵ１５０、充電部１１０、充電リレー１１６、給電部１２０および給電リレー１２６を制御するための制御指令を生成して出力する。
【００４９】
ＥＣＵ１３０は、通信部１４０を介して、車両外部の充電スタンド２００およびＨＥＭＳ３００にそれぞれ設けられた通信部２４０，３５０との間で無線または有線により通信する。そして、ＥＣＵ１３０は、充電スタンド２００およびＨＥＭＳ３００の通信部２４０，３５０から送信された情報を記憶部１４５に格納する。
【００５０】
なお、車両１０、充電スタンド２００およびＨＥＭＳ３００の間の通信には、電力線通信（ＰＬＣ：Power  Line  Communication）を用いることができる。この場合、通信部１４０，２４０，３５０はＰＬＣユニットにより構成され、電力線を介して情報を伝達する。
【００５１】
以上のように、本発明の実施の形態に従う車両１０は、車載蓄電装置１００を外部電源５００により充電可能であるとともに、車両１０から車両外部の負荷装置４００へ電力を供給可能に構成される。以下の説明では、外部電源５００による蓄電装置１００の充電を「外部充電」とも記し、車両外部への蓄電装置１００からの放電電力および／または動力出力装置１３５（モータジェネレータ１６０）により発電された電力の供給を「外部給電」とも表記する。
【００５２】
なお、本実施の形態においては、外部充電を行なうことは必須ではなく、エンジンからの駆動力のみで走行する車両の場合には、外部充電を行なう構成は設けられなくてもよい。
【００５３】
また、図１および図２に示す構成に代えて、外部電源と車両とを非接触のまま電磁的に結合して電力を供給する構成、具体的には外部電源側に一次コイルを設けるとともに、車両側に二次コイルを設け、一次コイルと二次コイルとの間の相互インダクタンスを利用して電力供給を行なう構成としてもよい。
【００５４】
再び図１を参照して、充電スタンド２００は、外部充電を行なうための、充電ケーブル２１４、充電コネクタ２１２およびリレー２１０を含む。また、充電スタンド２００は、外部給電を行なうための、給電ケーブル２２４、給電コネクタ２２２およびリレー２２０を含む。充電スタンド２００は、コントローラ２３０および通信部２４０をさらに含む。充電スタンド２００は、給電線２１６，２２６により家屋６００などの建物内に設置された配電盤５１０と電気的に接続される。
【００５５】
充電ケーブル２１４の一端はリレー２１０に接続され、他端は充電コネクタ２１２に接続される。給電ケーブル２２４の一端はリレー２２０に接続され、他端は給電コネクタ２２２に接続される。充電ケーブル２１４および給電ケーブル２２４は充電スタンド２００から分離可能であってもよい。あるいは、車両１０に設けられた充電ケーブルおよび給電ケーブルを用いて充電スタンド２００と車両１０とを接続してもよい。
【００５６】
また、図１においては、充電ケーブル２１４および充電コネクタ２１２と、給電ケーブル２２４および給電コネクタ２２２とを個別に設ける構成としているが、１つのケーブルおよび１つのコネクタを充電および給電を切替えて使用する構成としてもよい。この場合、車両１０側においても、インレット１１２，１２２は、充電および給電を切替え可能な１つのインレットにまとめられる。
【００５７】
外部充電時には、充電コネクタ２１２が車両１０のインレット１１２に接続され、リレー２１０が閉じられた状態で、家屋６００の配電盤５１０および給電線２１６を介して外部電源５００から車両１０に電力を供給する。これに対して、外部給電時には、給電コネクタ２２２が車両１０のインレット１２２に接続され、リレー２２０が閉じられた状態で、車両１０から給電線２２６を介して家屋６００に電力を供給する。リレー２１０，２２０の開閉動作は、コントローラ２３０によって制御される。
【００５８】
コントローラ２３０は、一例として、ＣＰＵなどから構成される。コントローラ２３０は、車両１０のＥＣＵ１３０との間で通信部２４０，１４０を介して無線もしくは有線により通信可能に構成される。また、コントローラ２３０は、ＨＥＭＳ３００のＣＰＵ３４０との間で通信部２４０，３５０を介して無線もしくは有線により通信可能に構成される。
【００５９】
コントローラ２３０は、リレー２１０および２２０の状態（開けられた状態か閉じられた状態か）を示す信号を、ＨＥＭＳ３００のＣＰＵ３４０および車両１０のＥＣＵ１３０に送信する。すなわち、コントローラ２３０は、外部充電および外部給電のいずれが選択されたかを示す信号をＣＰＵ３４０およびＥＣＵ１３０に送信する。
【００６０】
ＨＥＭＳ３００は、家屋６００の内部または外部に設置される。ＨＥＭＳ３００は、給電線２２６により配電盤５１０および充電スタンド２００と電気的に接続される。ＨＥＭＳ３００は、ＤＣ／ＡＣコンバータ３１０と、ＡＣ／ＤＣコンバータ３２０と、ＣＰＵ３４０と、通信部３５０とを含む。
【００６１】
ＡＣ／ＤＣコンバータ３２０は、充電スタンド２００から供給される交流電力を直流電力に変換する。ＤＣ／ＡＣコンバータ３１０は、ＡＣ／ＤＣコンバータ３２０により変換された直流電力を、交流電力に変換する。ＡＣ／ＤＣコンバータ３２０およびＤＣ／ＡＣコンバータ３１０は、充電スタンド２００の通信部２４０から送信される外部充電および外部給電のいずれが選択されたかを示す信号に基づいてＣＰＵ３４０が生成する制御信号により制御される。
【００６２】
負荷装置４００は、配電盤５１０を介して外部電源５００から電力を受けて動作する任意の電気機器である。負荷装置４００は、たとえば家屋６００であってもよいし、個別の電化製品であってもよい。または、負荷装置４００は、車両１０以外の他の車両であってもよい。
【００６３】
ここで、図１に示す電力供給システムにおいて、外部電源５００が停電した場合には、負荷装置４００への電力供給が遮断される。このような外部電源５００の停電時には、外部電源５００に代えて車両１０を電力供給源とみなして、車両１０から負荷装置４００に電力を供給する。以下の説明では、車両１０を外部電源５００の非常用電源として用いて外部給電を行なうモードを「非常用発電モード」と称する。これに対して、外部電源５００の正常時において外部給電および外部充電を行なうモードを「通常モード」と称する。
【００６４】
非常用発電モードにおいては、給電側である車両１０は、受電側である負荷装置４００の仕様に合致した仕様の交流電力を発電する必要がある。この負荷装置４００の仕様（以下、「負荷仕様」とも称する）は、負荷装置４００に供給される電力に関する仕様であり、外部電源５００の周波数および電圧を含む。一例として、外部電源５００が商用系統電源である場合、通常、商用系統電源の周波数は５０ｋＨｚまたは６０ｋＨｚである。また、商用系統電源が生成する商用交流電圧は１００Ｖまたは２００Ｖである。
【００６５】
通常モード時には、車両１０のＥＣＵ１３０は、通信部１４０，２４０，３５０を介してＨＥＭＳ３００および充電スタンド２００との間で通信を行なうことにより、負荷仕様を取得することができる。そして、車両１０は、取得した負荷仕様に応じた適切な交流電力を発生して負荷装置４００に供給することができる。
【００６６】
一方、外部電源５００の停電発生後は、上記のような通信機能が正常に作動しなくなるため、車両１０のＥＣＵ１３０は、もはや負荷仕様を得ることができない。したがって、車両１０は、負荷装置４００に応じた適切な周波数および電圧の交流電力を発生して負荷装置４００に供給することができない。このような外部電源５００が停電した場合の問題点について、図３を用いて説明する。
【００６７】
図３は、外部電源５００が停電している場合の電力供給システムを示す図である。
図３を参照して、ＨＥＭＳ３００は、負荷仕様である外部電源５００の周波数および電圧を発電パラメータに設定する。発電パラメータは、通信部３５０，２４０，１４０を介して車両１０のＥＣＵ１３０に送信されると、ＥＣＵ１３０によって車両１０における給電動作に用いられる。具体的には、ＥＣＵ１３０は、蓄電装置１００からの放電電力を、発電パラメータにより規定される交流電力に変換して車両外部へ供給する。また、ＥＣＵ１３０は、動力出力装置１３５により発電された直流電力を、発電パラメータにより規定される交流電力に変換して車両外部へ供給する。
【００６８】
しかしながら、外部電源５００の停電が発生すると、図３に示すように、ＨＥＭＳ３００および充電スタンド２００への電力供給が遮断されるため、ＨＥＭＳ３００の通信部３５０および充電スタンド２００の通信部２４０の動作が停止する。したがって、ＨＥＭＳ３００または充電スタンド２００から車両１０へ発電パラメータを送信することができなくなる。
【００６９】
一方、車両１０においては、外部電源５００の停電が検知されると、ＥＣＵ１３０は、通常モードをオフ状態とする一方で、非常用発電モードをオン状態とする。そして、非常用発電モードがオンされると、ＥＣＵ１３０は、蓄電装置１００および／または動力出力装置１３５からの直流電力を車両外部の負荷装置４００を駆動するのに適した交流電力に変換するように、給電部１２０における電力変換動作を制御する。しかしながら、上記のように、ＥＣＵ１３０は、交流電力の周波数および電圧を規定するための発電パラメータを得ることができないため、給電部１２０を制御することができない。
【００７０】
このような問題点を解消するため、本実施の形態による電力供給システムでは、外部電源５００の停電によって非常用発電モードがオンすると、車両１０は、最初に、ＨＥＭＳ３００の通信部３５０および充電スタンド２００の通信部２４０へ電力を供給することにより、これらの通信部３５０，２４０を起動させる。そして、車両１０は、通信部１４０，２４０，３５０を介してＨＥＭＳ３００および充電スタンド２００との間で通信を行なうことにより、負荷仕様を取得する。これにより、車両１０は、取得した負荷仕様に応じた適切な交流電力を発生して負荷装置４００に供給することができる。
【００７１】
図４は、本発明の実施の形態による電力供給システムの非常用発電モードでの動作を説明する図である。
【００７２】
図４を参照して、本発明の実施の形態による電力供給システムは、図３に示す電力供給システムと比較して、ＨＥＭＳ３００が切替部３６０、電源部３８０および開閉器４１０をさらに含む点で異なる。
【００７３】
切替部３６０は、給電線２１６，２２６と電源部３８０との間に設けられる。切替部３６０は、電源部３８０の電力供給源を、外部電源５００と車両１０との間で切替えることができる。具体的には、切替部３６０は、電圧センサ３６２，３６４と、制御部３６６と、接点部３７０とを含む。
【００７４】
電圧センサ３６２は、充電ケーブル２１４と配電盤５１０との間に配設された、外部電源５００からの給電線２１６に設けられる。電圧センサ３６２は、給電線２１６の電圧を検出し、その検出値を制御部３６６へ出力する。
【００７５】
電圧センサ３６４は、給電ケーブル２２４と配電盤５１０との間に配設された、車両１０からの給電線２２６に設けられる。電圧センサ３６４は、給電線２２６の電圧を検出し、その検出値を制御部３６６へ出力する。
【００７６】
接点部３７０は、給電線２１６および給電線２２６と電源部３８０との間に設けられる。接点部３７０は、制御部３６６によって制御され、給電線２１６と電源部３８０とが接続された状態と、給電線２２６と電源部３８０とが接続された状態とを切替える。
【００７７】
制御部３６６は、電圧センサ３６２，３６４の検出値に応じて、接点部３７０の接続状態を制御する。具体的には、制御部３６６は、給電線２１６の電圧が有電圧であり、かつ、給電線２２６の電圧が無電圧である場合には、有電圧側の給電線２１６と電源部３８０とが接続されるように接点部３７０を制御する。これに対して、給電線２１６の電圧が無電圧であり、かつ、給電線２２６の電圧が有電圧である場合には、制御部３６６は、有電圧側の給電線２２６と電源部３８０とが接続されるように接点部３７０を制御する。このような構成とすることにより、有電圧である給電線の電圧が電源部３８０に供給されて、電源部３８０が起動する。
【００７８】
なお、電源部３８０は、多種の仕様（周波数および電圧）の電力を受付け可能に構成されている。電源部３８０は、入力された電力を、ＨＥＭＳ３００および充電スタンド２００を構成する電気機器の駆動に適した電力に変換して当該電気機器に供給することができる。
【００７９】
電源部３８０から電力の供給を受けてＣＰＵ３４０および通信部３５０，２４０が起動すると、ＨＥＭＳ３００および充電スタンド２００は、車両１０との間で通信可能な状態となる。
【００８０】
開閉器４１０は、給電線２２６と負荷装置４００との間に接続される。開閉器４１０は、ＣＰＵ３４０からの制御信号ＲＥによって制御され、給電線２２６と負荷装置４００との間での電力の供給と遮断とを切替える。ＣＰＵ３４０は、後述するように、ＨＥＭＳ３００、充電スタンド２００および車両１０の間で通信が確立されたときに、開閉器４１０を閉状態とする。
【００８１】
図４に示す電力供給システムにおいて、外部電源５００の正常時には、給電線２１６の電圧が有電圧であるため、電源部３８０は、切替部３６０の接点部３７０を介して外部電源５００からの電力を受けてＣＰＵ３４０および通信部３５０，２４０を起動する。一方、外部電源５００の停電時には、外部電源５００からの電力の供給が遮断されるため、ＣＰＵ３４０および通信部３５０，２４０の動作が停止してしまう。その結果、車両１０は、ＨＥＭＳ３００および充電スタンド２００と通信不能となり、発電パラメータを取得することができない。
【００８２】
そこで、本実施の形態では、車両１０のＥＣＵ１３０は、外部電源５００の停電により非常用発電モードがオンすると、最初に、車両１０からＨＥＭＳ３００内の電源部３８０へ電力を供給することにより、通信部３５０，２４０を起動する。具体的には、ＥＣＵ１３０は、蓄電装置１００からの放電電力および／または動力出力装置１３５からの発電電力を、ＨＥＭＳ３００内の電源部３８０を起動するための交流電力に変換する。このとき、ＥＣＵ１３０は、所定の仕様に基づいて給電部１２０における電力変換動作を制御する。この所定の仕様は、予め定められて記憶部１４５に格納されている。
【００８３】
これにより、車両１０から所定の仕様により規定される交流電力がＨＥＭＳ３００に供給される。ＨＥＭＳ３００内では、車両１０から電力の供給を受けて給電線２２６が有電圧となると、切替部３６０によって給電線２２６と電源部３８０とが接続される。これにより、電源部３８０は、給電線２２６を介して車両１０からの電力を受けて起動する。そして、電源部３８０は、ＣＰＵ３４０および通信部３５０，２４０を起動する。
【００８４】
ＨＥＭＳ３００および充電スタンド２００が車両１０との間で通信可能な状態となると、ＨＥＭＳ３００のＣＰＵ３４０は、負荷仕様である外部電源５００の周波数および電圧を発電パラメータに設定する。そして、ＣＰＵ３４０は、通信部３５０、充電スタンド２００の通信部２４０を介して、車両１０に発電パラメータを送信する。
【００８５】
車両１０においては、通信部１４０により発電パラメータを受信すると、ＥＣＵ１３０は、記憶部１４５に格納されている所定の仕様を、受信した発電パラメータ（負荷仕様）に書き換える。そして、ＥＣＵ１３０は、この取得した負荷仕様に基づいて給電部１２０の電力変換動作を制御する。これにより、車両１０からは、負荷装置４００の仕様に応じた適切な交流電力が出力され、充電スタンド２００を通じてＨＥＭＳ３００に供給される。
【００８６】
ＨＥＭＳ３００では、車両１０との間の通信が確立したことに基づいて、ＣＰＵ３４０が開閉器４１０を閉状態とする。これにより、ＨＥＭＳ３００に供給された車両１０からの電力は負荷装置４００に供給される。
【００８７】
図５は、本発明の実施の形態による電力供給システムにおける車両および充電スタンドの動作を説明するフローチャートである。
【００８８】
図５を参照して、ステップＳ０１，Ｓ１１により外部電源５００の停電が発生すると、ＨＥＭＳ３００の通信部３５０および充電スタンド２００の通信部２４０の動作が停止する。これにより、ＨＥＭＳ３００および充電スタンド２００と車両１０との間における通信が遮断される。
【００８９】
ＨＥＭＳ３００においては、ステップＳ１２により、ＣＰＵ３４０は、車両１０との間で通信不能となったことに基づいて、開閉器４１０を開状態とする。これにより、負荷装置４００への電力の供給を遮断する。
【００９０】
ステップＳ０２，Ｓ１３により、給電コネクタ２２２がインレット１２２に接続されることによって充電スタンド２００と車両１０とが接続されると、車両１０では、ステップＳ０３により、ＥＣＵ１３０は、非常用発電モードがオンされたか否かを判定する。非常用発電モードがオンされていない場合（ステップＳ０３のＮＯ判定時）には、処理はステップＳ０３に戻される。そして、非常用発電モードがオンされると（ステップＳ０３のＹＥＳ判定時）、ＥＣＵ１３０は、ステップＳ０４により、記憶部１４５に格納されている所定の仕様を読み出す。そして、ＥＣＵ１３０は、ステップＳ０４により、読み出した所定の仕様に基づいて給電部１２０の電力変換動作を制御することにより、車両１０からＨＥＭＳ３００に供給するための交流電力を発生する。
【００９１】
車両１０により発生された交流電力は、充電スタンド２００を経由してＨＥＭＳ３００に供給される。ステップＳ１４では、ＨＥＭＳ３００内の電源部３８０は、切替部３６０を介して車両１０から供給される電力を受けて駆動する。
【００９２】
ステップＳ１５では、ステップＳ１４で電源部３８０が起動したことにより、ＨＥＭＳ３００の通信部３５０および充電スタンド２００の通信部２４０が起動する。ステップＳ１６では、ＣＰＵ３４０は、負荷装置４００の仕様を発電パラメータに設定する。そして、ＣＰＵ３４０は、その設定した発電パラメータ（負荷装置４００の仕様）を、通信部３５０，２４０を介して車両１０へ送信する。さらに、ＣＰＵ３４０は、ステップＳ１６により、ＨＥＭＳ３００および充電スタンド２００と車両１０との間の通信が確立したことに基づいて、開閉器４１０を閉状態とする。
【００９３】
車両１０では、ステップＳ０５において通信部１４０により発電パラメータを受信すると、ステップＳ０６により、ＥＣＵ１３０は、蓄電装置１００の放電および／または動力出力装置１３５の発電を停止することにより、車両外部への電力供給を停止する。
【００９４】
ステップＳ０７では、ＥＣＵ１３０は、記憶部１４５に予め格納されている所定の仕様を、受信した負荷仕様に書き換えることにより、発電パラメータの設定を変更する。そして、ＥＣＵ１３０は、ステップＳ０８により、変更後の発電パラメータに基づいて給電部１２０の電力変換動作を制御することにより、車両１０から負荷装置４００に供給するための交流電力を発生する。これにより、車両外部への電力供給が再開される。
【００９５】
車両１０により発生された交流電力は、充電スタンド２００およびＨＥＭＳ３００を経由して負荷装置４００に供給される。負荷装置４００は、車両１０から供給される電力を受けて駆動する。
【００９６】
本実施の形態においては、蓄電装置１００および動力出力装置１３５（モータジェネレータ１６０）が「発電部」に相当し、給電部１２０が「給電部」に相当し、ＥＣＵ１３０が「制御装置」に相当する。また、ＨＥＭＳ３００および充電スタンド２００が「給電装置」に相当する。そして、通信部２４０，３５０が「通信部」に相当し、切替部３６０が「切替部」に相当し、開閉器４１０が「開閉器」に相当する。
【００９７】
以上説明したように、本発明の実施の形態による電力供給システムによれば、外部電源の停電時には、車両からの電力によってＨＥＭＳおよび充電スタンドの通信部を起動させることにより、車両とＨＥＭＳおよび充電スタンドとの間で通信可能な状態とする。これにより、負荷装置への供給電力に関する仕様（負荷仕様）を車両に送信することができるため、負荷仕様に応じた適切な電力を車両から供給することが可能となる。この結果、外部電源の停電時における非常用発電を確実に実行して、負荷装置を安定的に駆動できる。
【００９８】
なお、外部給電時に用いられる負荷仕様は、外部電源の停電時に、車両に接続される充電スタンドおよびＨＥＭＳと車両との間での通信を行なうことによって取得されるため、外部電源の停電が生じるごとに、負荷仕様が更新される。したがって、車両が取得した負荷仕様と、受電側である負荷装置の仕様とは常に一致しており、負荷装置への給電が可能となる。
【００９９】
また、図１および図２においては、充電部１１０および給電部１２０を個別の装置として説明したが、充電および給電の双方向の電力変換が可能な１つの電力変換部を設ける構成としてもよい。
【０１００】
また、図１においては、充電スタンド２００およびＨＥＭＳ３００の各々に通信部を設ける構成を例示したが、充電スタンド２００およびＨＥＭＳ３００のいずれか一方に車両１０と通信するための通信部を設ける構成としてもよい。
【０１０１】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１０２】
この発明は、車両からの電力を車両外部の負荷へ供給する電力供給システムに適用することができる。
【符号の説明】
【０１０３】
１０  車両、１００  蓄電装置、１０５  監視ユニット、１１０  充電部、１１２，１２２  インレット、１１６  充電リレー、１２０  給電部、１２６  給電リレー、１３５  動力出力装置、１４０，２４０，３５０  通信部、１４５  記憶部、１５２  コンバータ、１５４，１５６  インバータ、１６０，１６５  モータジェネレータ、１７０  エンジン、１７５  動力伝達ギヤ、１８０  駆動輪、２００  充電スタンド、２１０，２２０  リレー、２１２  充電コネクタ、２１４  充電ケーブル、２１６，２２６  給電線、２２２  給電コネクタ、２２４  給電ケーブル、２３０  コントローラ、３００  ＨＥＭＳ、３１０  ＡＣ／ＤＣコンバータ、３２０  ＤＣ／ＡＣコンバータ、３４０  ＣＰＵ、３６０  切替部、３６２，３６４  電圧センサ、３６６  制御部、３７０  接点部、３８０  電源部、４００  負荷装置、４１０  開閉器、５００  外部電源、５１０  配電盤、６００  家屋。
【図１】
2013061442.tif 000003
【図２】
2013061442.tif 000004
【図３】
2013061442.tif 000005
【図４】
2013061442.tif 000006
【図５】
2013061442.tif 000007
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
車両（１０）と、
前記車両（１０）からの電力を前記車両（１０）の外部の負荷（４００）に供給するための給電装置（２００，３００）とを備え、
前記負荷（４００）は、外部電源（５００）から電力の供給を受ける一方で、前記外部電源（５００）の停電時には前記車両（１０）からの電力を受けて駆動するように構成され、
前記給電装置（２００，３００）は、
前記車両（１０）と前記給電装置（２００，３００）との間で通信するための通信部（２４０，３５０）と、
前記通信部（２４０，３５０）に電力を供給する電源部（３８０）とを含み、
前記車両（１０）は、
発電部（１００，１３５）と、
前記発電部（１００，１３５）からの電力を前記給電装置（２００，３００）へ供給するための給電部（１２０）と、
前記外部電源（５００）の停電時、前記発電部（１００，１３５）からの電力を前記負荷（４００）の駆動電力に変換するように、前記給電部（１２０）を制御する制御装置（１３０）とを含み、
前記給電装置（２００，３００）は、前記外部電源（５００）の停電時、前記車両（１０）からの電力を前記電源部（３８０）に供給することにより前記通信部（２４０，３５０）を起動させるとともに、前記通信部（２４０，３５０）により前記外部電源（５００）から前記負荷（４００）に供給される電力に関する仕様を前記制御装置（１３０）に送信し、
前記制御装置（１３０）は、予め定められた仕様に基づいて前記給電部（１２０）を制御する一方で、前記供給電力に関する仕様を受信した後は、予め定められた仕様に代えて前記供給電力の仕様に基づいて給電部（１２０）を制御する、電力供給システム。
【請求項２】
前記給電装置（２００，３００）は、前記外部電源（５００）からの給電線（２１６）の電圧と、前記車両（１０）からの給電線（２２６）の電圧とを比較し、有電圧である方の給電線の電圧を前記電源部（３８０）に供給するように構成された切替部（３６０）をさらに含む、請求項１に記載の電力供給システム。
【請求項３】
前記負荷（４００）は、開閉器（４１０）を介して前記車両（１０）からの給電線（２２６）に接続され、
前記給電装置（２００，３００）は、前記通信部（２４０，３５０）により前記車両（１０）と前記給電装置（２００，３００）との間で通信が確立した後に、前記開閉器（４１０）を閉状態とする、請求項２に記載の電力供給システム。
【請求項４】
前記発電部（１００，１３５）は、再充電可能な蓄電装置（１００）を含み、
前記車両（１０）は、前記外部電源（５００）からの電力により前記蓄電装置（１００）を充電可能に構成され、
前記給電部（１２０）は、前記供給電力の仕様に基づいて、前記蓄電装置（１００）から放電される電力を前記負荷（４００）の駆動電力に変換するように前記給電部（１２０）を制御する、請求項１から３のいずれか１項に記載の電力供給システム。
【請求項５】
前記車両（１０）は、駆動力源としての内燃機関（１７０）をさらに含み、
前記発電部（１００，１３５）は、
再充電可能な蓄電装置（１００）と、
前記内燃機関（１７０）の出力を用いて発電するように構成された発電機（１６０）とを含み、
前記車両（１０）は、前記外部電源（５００）からの電力により前記蓄電装置（１００）を充電可能に構成され、
前記給電部（１２０）は、前記供給電力の仕様に基づいて、前記蓄電装置（１００）から放電される電力および前記発電機（１６０）によって発電された電力の少なくとも一方を前記負荷（４００）の駆動電力に変換するように前記給電部（１２０）を制御する、請求項１から３のいずれか１項に記載の電力供給システム。
【請求項６】
車両（１０）からの電力を前記車両（１０）の外部の負荷へ供給するための給電装置（２００，３００）であって、
前記車両（１０）と前記給電装置（２００，３００）の間で通信するための通信部（２４０，３５０）と、
前記通信部（２４０，３５０）に電力を供給する電源部（３８０）と、
外部電源（５００）からの給電線（２１６）の電圧と、前記車両（１０）からの給電線（２２６）の電圧とを比較し、有電圧である方の給電線の電圧を電源部（３８０）に供給するように構成された切替部（３６０）とを備え、
前記切替部（３６０）は、前記外部電源（５００）の停電時、前記車両（１０）からの給電線（２２６）の電圧が有電圧である場合に、前記車両（１０）からの電力を前記電源部（３８０）に供給し、
前記通信部（２４０，３５０）は、前記電源部（３８０）からの電力を受けて起動すると、前記外部電源（５００）から前記負荷（４００）に供給される電力に関する仕様を前記車両（１０）に送信する、給電装置。
【請求項７】
（削除）
【請求項８】
前記車両（１０）からの給電線（２２６）と前記負荷（４００）との間に接続され、前記通信部（２４０，３５０）により前記車両（１０）と前記給電装置（２４０，３５０）との間で通信が確立した後に、閉状態に駆動される開閉器（４１０）をさらに備える、請求項６に記載の給電装置。
【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
車両と、
前記車両からの電力を前記車両の外部の負荷に供給するための給電装置とを備え、
前記負荷は、外部電源から電力の供給を受ける一方で、前記外部電源の停電時には前記車両からの電力を受けて駆動するように構成され、
前記給電装置は、
前記車両と前記給電装置との間で通信するための通信部と、
前記通信部に電力を供給する電源部とを含み、
前記車両は、
発電部と、
前記発電部からの電力を前記給電装置へ供給するための給電部と、
前記外部電源の停電時、前記発電部からの電力を前記負荷の駆動電力に変換するように、前記給電部を制御する制御装置とを含み、
前記給電装置は、前記外部電源の停電時、前記車両からの電力を前記電源部に供給することにより前記通信部を起動させるとともに、前記通信部により前記外部電源から前記負荷に供給される電力に関する仕様を前記制御装置に送信し、
前記制御装置は、予め定められた仕様に基づいて前記給電部を制御する一方で、前記供給電力に関する仕様を受信した後は、予め定められた仕様に代えて前記供給電力の仕様に基づいて給電部を制御する、電力供給システム。
【請求項２】
前記給電装置は、前記外部電源からの給電線の電圧と、前記車両からの給電線の電圧とを比較し、有電圧である方の給電線の電圧を前記電源部に供給するように構成された切替部をさらに含む、請求項１に記載の電力供給システム。
【請求項３】
前記負荷は、開閉器を介して前記車両からの給電線に接続され、
前記給電装置は、前記通信部により前記車両と前記給電装置との間で通信が確立した後に、前記開閉器を閉状態とする、請求項２に記載の電力供給システム。
【請求項４】
前記発電部は、再充電可能な蓄電装置を含み、
前記車両は、前記外部電源からの電力により前記蓄電装置を充電可能に構成され、
前記制御装置は、前記供給電力の仕様に基づいて、前記蓄電装置から放電される電力を前記負荷の駆動電力に変換するように前記給電部を制御する、請求項１から３のいずれか１項に記載の電力供給システム。
【請求項５】
前記車両は、駆動力源としての内燃機関をさらに含み、
前記発電部は、
再充電可能な蓄電装置と、
前記内燃機関の出力を用いて発電するように構成された発電機とを含み、
前記車両は、前記外部電源からの電力により前記蓄電装置を充電可能に構成され、
前記制御装置は、前記供給電力の仕様に基づいて、前記蓄電装置から放電される電力および前記発電機によって発電された電力の少なくとも一方を前記負荷の駆動電力に変換するように前記給電部を制御する、請求項１から３のいずれか１項に記載の電力供給システム。
【請求項６】
車両からの電力を前記車両の外部の負荷へ供給するための給電装置であって、
前記車両と前記給電装置との間で通信するための通信部と、
前記通信部に電力を供給する電源部と、
外部電源からの給電線の電圧と、前記車両からの給電線の電圧とを比較し、有電圧である方の給電線の電圧を電源部に供給するように構成された切替部とを備え、
前記切替部は、前記外部電源の停電時、前記車両からの給電線の電圧が有電圧である場合に、前記車両からの電力を前記電源部に供給し、
前記通信部は、前記電源部からの電力を受けて起動すると、前記外部電源から前記負荷に供給される電力に関する仕様を前記車両に送信する、給電装置。
【請求項７】
前記車両からの給電線と前記負荷との間に接続され、前記通信部により前記車両と前記給電装置との間で通信が確立した後に、閉状態に駆動される開閉器をさらに備える、請求項６に記載の給電装置。
【手続補正２】
【補正対象書類名】明細書
【補正対象項目名】０１０３
【補正方法】変更
【補正の内容】
【０１０３】
１０  車両、１００  蓄電装置、１０５  監視ユニット、１１０  充電部、１１２，１２２  インレット、１１６  充電リレー、１２０  給電部、１２６  給電リレー、１３５  動力出力装置、１４０，２４０，３５０  通信部、１４５  記憶部、１５２  コンバータ、１５４，１５６  インバータ、１６０，１６５  モータジェネレータ、１７０  エンジン、１７５  動力伝達ギヤ、１８０  駆動輪、２００  充電スタンド、２１０，２２０  リレー、２１２  充電コネクタ、２１４  充電ケーブル、２１６，２２６  給電線、２２２  給電コネクタ、２２４  給電ケーブル、２３０  コントローラ、３００  ＨＥＭＳ、３２０  ＡＣ／ＤＣコンバータ、３１０  ＤＣ／ＡＣコンバータ、３４０  ＣＰＵ、３６０  切替部、３６２，３６４  電圧センサ、３６６  制御部、３７０  接点部、３８０  電源部、４００  負荷装置、４１０  開閉器、５００  外部電源、５１０  配電盤、６００  家屋。
【国際調査報告】
2013061442.tif 000008
2013061442.tif 000009
2013061442.tif 000010
2013061442.tif 000011